(57)【要約】【課題】  コンテンツ購入時の積算金額に基づき、高額の購入行為をリアルタイムに判断して購入の抑止を促すこと。【解決手段】  携帯端末１００の利用者毎に、あらかじめ一度に請求されるコンテンツ情報料の最大金額を設定しておき、その最大金額は課金管理装置２００で管理され、コンテンツ購入時に、購入しようとするコンテンツ料金を含めたこれまでのコンテンツ料金の積算値が、最大金額を超えていないかを都度課金管理装置２００で判断し、超えてなければ従来通りそのまま購入できるが、超えていれば一旦購入処理を行わず、事前の注意喚起の画面を利用者の携帯端末１００上に表示させる。【選択図】  図１
2012256146.tif 000002
【特許請求の範囲】
【請求項１】
コンテンツ情報を提供するコンテンツプロバイダと、端末による有料コンテンツの購入の操作を受け付けて前記コンテンツプロバイダからのコンテンツ情報を前記端末に提供し、コンテンツ料金を管理する課金管理装置とを備えた課金管理システムにおいて、
前記課金管理装置は、
利用者ＩＤに対して、これまで利用したコンテンツ料金の積算値が格納されるコンテンツ積算金額テーブルと、
コンテンツＩＤに対して、コンテンツの利用料金が格納される利用料金テーブルと、
利用者ＩＤに対して、予め設定された最大金額が格納される最大金額テーブルと、
前記コンテンツ積算金額テーブル、前記利用料金テーブル、前記最大金額テーブルにアクセスし、課金管理するための処理部と
を備え、
前記処理部は、利用者の端末から、利用者ＩＤとコンテンツＩＤを含む第１のコンテンツ購入要求を受けると、利用者ＩＤに基づき前記コンテンツ積算金額テーブルからこれまでのコンテンツ料金の積算値を求め、コンテンツＩＤに基づき前記利用料金テーブルからこれから購入しようとするコンテンツの利用料金を求め、利用者ＩＤに基づき前記最大金額テーブルから最大金額を求め、
前記処理部は、前記積算値と前記利用料金とを合計した合計値と、前記最大金額とを比較し、
前記処理部は、前記合計値が前記最大金額を超えていれば、コンテンツ購入を続けるかを利用者に問い合わせるための購入抑止画面を生成し、前記端末へ該購入抑止画面を送信し、
前記処理部は、前記端末による前記購入抑止画面の操作により利用者ＩＤ及びコンテンツＩＤを含む購入意志確認上の第２のコンテンツ購入要求を、前記端末から受けると、前記端末に対してコンテンツの購入処理を行う
ことを特徴とする課金管理システム。
【請求項２】
請求項１に記載の課金管理システムにおいて、
前記処理部は、前記合計値が前記最大金額を超えていなければ、コンテンツ情報の購入処理を行うことを特徴とする課金管理システム。
【請求項３】
請求項１又は２に記載の課金管理システムにおいて、
前記処理部は、前記第1のコンテンツ購入要求及び／又は前記購入意志確認上の前記第２のコンテンツ購入要求を受けると、利用者が正規の利用者かの判定の認証要求を行い、認証結果応答を返答することを特徴とする課金管理システム。
【請求項４】
請求項１乃至３のいずれかに記載の課金管理システムにおいて、
前記処理部は、前記端末によって、利用者ＩＤ、最大金額を含む最大金額の設定要求を受けると、前記最大金額テーブルに、利用者ＩＤに対応して最大金額を記憶することにより、最大金額の変更処理を行うことを特徴とする課金管理システム。
【請求項５】
請求項４に記載の課金管理システムにおいて、
前記購入抑止画面は、最大金額の変更処理へのリンクを含み、
前記リンクが操作されたとき、前記処理部は、前記最大金額の変更処理を実行することを特徴とする課金管理システム。
【請求項６】
請求項１乃至５のいずれかに記載の課金管理システムにおいて、
前記処理部は、前記購入抑止画面を、
これから購入しようとするコンテンツ料金、これまでのコンテンツ料金の積算料金、最大金額のいずれかひとつ又は複数を表示し、
購入を続ける場合の決定ボタン、購入を止める場合の決定ボタンを表示する
ように生成する
ことを特徴とする課金管理システム。
【請求項７】
請求項１乃至６のいずれかに記載の課金管理システムにおいて、
前記処理部は、前記最大金額の設定要求を受けると、利用者が正規の利用者かの判定の認証要求を行い、認証結果応答を返却することを特徴とする課金管理システム。
【請求項８】
コンテンツ情報を提供するコンテンツプロバイダと、端末による有料コンテンツの購入の操作を受け付けて前記コンテンツプロバイダからのコンテンツ情報を前記端末に提供し、コンテンツ料金を管理する課金管理装置とを備え、
前記課金管理装置は、
利用者ＩＤに対して、これまで利用したコンテンツ料金の積算値が格納されるコンテンツ積算金額テーブルと、
コンテンツＩＤに対して、コンテンツの利用料金が格納される利用料金テーブルと、
利用者ＩＤに対して、予め設定された最大金額が格納される最大金額テーブルと、
前記コンテンツ積算金額テーブル、前記利用料金テーブル、前記最大金額テーブルにアクセスし、課金管理するための処理部と
を備えた、課金管理システムにおける課金管理方法であって、
前記処理部は、利用者の端末から、利用者ＩＤとコンテンツＩＤを含む第１のコンテンツ購入要求を受けると、利用者ＩＤに基づき前記コンテンツ積算金額テーブルからこれまでのコンテンツ料金の積算値を求め、コンテンツＩＤに基づき前記利用料金テーブルからこれから購入しようとするコンテンツの利用料金を求め、利用者ＩＤに基づき前記最大金額テーブルから最大金額を求め、
前記処理部は、前記積算値と前記利用料金とを合計した合計値と、前記最大金額とを比較し、
前記処理部は、前記合計値が前記最大金額を超えていれば、コンテンツ購入を続けるかを利用者に問い合わせるための購入抑止画面を生成し、前記端末へ該購入抑止画面を送信し、
前記処理部は、前記端末による前記購入抑止画面の操作により利用者ＩＤ及びコンテンツＩＤを含む購入意志確認上の第２のコンテンツ購入要求を、前記端末から受けると、前記端末に対してコンテンツの購入処理を行う
ことを特徴とする課金管理方法。
【請求項９】
端末による有料コンテンツの購入の操作を受け付けて前記コンテンツプロバイダからのコンテンツ情報を前記端末に提供し、コンテンツ料金を管理する課金管理装置において、
利用者ＩＤに対して、これまで利用したコンテンツ料金の積算値が格納されるコンテンツ積算金額テーブルと、
コンテンツＩＤに対して、コンテンツの利用料金が格納される利用料金テーブルと、
利用者ＩＤに対して、予め設定された最大金額が格納される最大金額テーブルと、
前記コンテンツ積算金額テーブル、前記利用料金テーブル、前記最大金額テーブルにアクセスし、課金管理するための処理部と
を備え、
前記処理部は、利用者の端末から、利用者ＩＤとコンテンツＩＤを含む第１のコンテンツ購入要求を受けると、利用者ＩＤに基づき前記コンテンツ積算金額テーブルからこれまでのコンテンツ料金の積算値を求め、コンテンツＩＤに基づき前記利用料金テーブルからこれから購入しようとするコンテンツの利用料金を求め、利用者ＩＤに基づき前記最大金額テーブルから最大金額を求め、
前記処理部は、前記積算値と前記利用料金とを合計した合計値と、前記最大金額とを比較し、
前記処理部は、前記合計値が前記最大金額を超えていれば、コンテンツ購入を続けるかを利用者に問い合わせるための購入抑止画面を生成し、前記端末へ該購入抑止画面を送信し、
前記処理部は、前記端末による前記購入抑止画面の操作により利用者ＩＤ及びコンテンツＩＤを含む購入意志確認上の第２のコンテンツ購入要求を、前記端末から受けると、前記端末に対してコンテンツの購入処理を行う
ことを特徴とする課金管理装置。
【発明の詳細な説明】
【技術分野】
【０００１】
本発明は、課金管理システム及び方法、課金管理装置に係り、特に、携帯端末を使用した有料情報のコンテンツ利用において、ある期間のコンテンツ利用料の積算金額が上限を超えることを利用者に知らせる課金管理システム及び方法、課金管理装置に関する。
【背景技術】
【０００２】
近年、携帯端末を利用した音楽・画像・動画・電子書籍などのデジタルコンテンツを
提供するサービスが普及しており、今後も市場の拡大が予想される。これらのサービスを利用した際の有料コンテンツ情報の利用料は、通信事業者が利用者から個別に代行請求し、通信事業者がコンテンツプロバイダへ支払う仕組みがある。
その仕組みの例として、特開２００３−１８９０１４号公報（特許文献１）がある。この公報には、「情報（コンテンツデータ）配信システムあるいは情報配信サービスに用いられる提供情報通信料の情報提供者あるいは情報提供代行者に対する配分額を計算する通信収入配分装置及び通信収入配分方法」が記載されている。
【先行技術文献】
【特許文献】
【０００３】
【特許文献１】特開２００３−１８９０１４号公報
【発明の概要】
【発明が解決しようとする課題】
【０００４】
従来のシステムでは、利用者が自身の支払い能力に関わらず、一度に大量の有料コンテンツ利用を行うことが出来るため、利用者が後日利用料金を請求された際に、高額のための不払いや、支払いが困難となる場合がある。
また本ケースは通信事業者においても課題となる。例えば、月額自動継続課金タイプの有料コンテンツの料金不払い利用者がいる場合、利用者自身が利用停止を申し込まないと自動的に課金が継続される場合がある。このため、代行請求を行う通信事業者は、コンテンツプロバイダへの支払いは継続されるが、通信事業者は利用者から料金を回収できないため、通信事業者に損失が発生する場合が想定される。
積算したコンテンツ情報料が高いほど、利用者が支払えない又は支払わない場合が多くなる傾向が考えられ、通信事業者にて利用者を個別に指定して購入を抑止する機能は既にあるが、高額利用者を特定して、個別抑止指定するまでにタイムラグが存在すること、利用者自身の支払い能力内での利用を促すことが課題である。
【０００５】
本発明は、以上の点に鑑み、コンテンツ購入時の積算金額に基づき、高額の購入行為をリアルタイムに判断して購入の抑止を促すことを、目的のひとつとする。
また、本発明は、最大金額を利用者自身で事前に設定し、最大金額を超えた購入をしようとした際に、システムによって注意喚起することにより、利用者が支払い能力を超えた使いすぎを防止することを、他の目的とする。
【課題を解決するための手段】
【０００６】
本発明のひとつの態様によると、
「携帯端末による有料コンテンツの購入の操作を受け付け、コンテンツの代金を請求するためのコンテンツ代金を管理するシステムと、そのシステムへ購入操作を送信する携帯端末と、操作したコンテンツの利用者を特定するための認証機能を有するシステムにおいて、
利用者毎にあらかじめ一度に請求されるコンテンツ情報料の最大金額を設定しておき、
その最大金額はシステムで管理され、コンテンツ購入時に、購入しようとするコンテンツ料金を含めたこれまでのコンテンツ料金の積算値が、最大金額を超えていないかを都度システムで判断し、超えてなければ従来通りそのまま購入できるが、超えていれば一旦購入処理を行わず、利用者に事前の注意喚起の画面を携帯端末上に表示させること」
を特徴とすることができる。
【０００７】
また、本発明では、携帯端末による操作を受け付け、認証機能を有するシステムと連携し、利用者毎にあらかじめコンテンツ情報料の最大金額を設定することができる機能を具備することができる。
本発明では、携帯端末による操作を受け付け、認証機能を有するシステムと連携し、コンテンツ購入時に、上述のような最大金額を超えていないかを都度システムで判断し、超えてなければ従来通りそのまま購入できるが、超えていれば一旦購入処理を行わず、利用者に事前の注意喚起の画面を携帯端末上に表示させることができる。
【０００８】
本発明の第１の解決手段によると、
コンテンツ情報を提供するコンテンツプロバイダと、端末による有料コンテンツの購入の操作を受け付けて前記コンテンツプロバイダからのコンテンツ情報を前記端末に提供し、コンテンツ料金を管理する課金管理装置とを備えた課金管理システム、及び、課金管理方法において、
前記課金管理装置は、
利用者ＩＤに対して、これまで利用したコンテンツ料金の積算値が格納されるコンテンツ積算金額テーブルと、
コンテンツＩＤに対して、コンテンツの利用料金が格納される利用料金テーブルと、
利用者ＩＤに対して、予め設定された最大金額が格納される最大金額テーブルと、
前記コンテンツ積算金額テーブル、前記利用料金テーブル、前記最大金額テーブルにアクセスし、課金管理するための処理部と
を備え、
前記処理部は、利用者の端末から、利用者ＩＤとコンテンツＩＤを含む第１のコンテンツ購入要求を受けると、利用者ＩＤに基づき前記コンテンツ積算金額テーブルからこれまでのコンテンツ料金の積算値を求め、コンテンツＩＤに基づき前記利用料金テーブルからこれから購入しようとするコンテンツの利用料金を求め、利用者ＩＤに基づき前記最大金額テーブルから最大金額を求め、
前記処理部は、前記積算値と前記利用料金とを合計した合計値と、前記最大金額とを比較し、
前記処理部は、前記合計値が前記最大金額を超えていれば、コンテンツ購入を続けるかを利用者に問い合わせるための購入抑止画面を生成し、前記端末へ該購入抑止画面を送信し、
前記処理部は、前記端末による前記購入抑止画面の操作により利用者ＩＤ及びコンテンツＩＤを含む購入意志確認上の第２のコンテンツ購入要求を、前記端末から受けると、前記端末に対してコンテンツの購入処理を行う
ことを特徴とする課金管理システム、及び、課金管理方法が提供される。
【０００９】
本発明の第２の解決手段によると、
端末による有料コンテンツの購入の操作を受け付けて前記コンテンツプロバイダからのコンテンツ情報を前記端末に提供し、コンテンツ料金を管理する課金管理装置において、
利用者ＩＤに対して、これまで利用したコンテンツ料金の積算値が格納されるコンテンツ積算金額テーブルと、
コンテンツＩＤに対して、コンテンツの利用料金が格納される利用料金テーブルと、
利用者ＩＤに対して、予め設定された最大金額が格納される最大金額テーブルと、
前記コンテンツ積算金額テーブル、前記利用料金テーブル、前記最大金額テーブルにアクセスし、課金管理するための処理部と
を備え、
前記処理部は、利用者の端末から、利用者ＩＤとコンテンツＩＤを含む第１のコンテンツ購入要求を受けると、利用者ＩＤに基づき前記コンテンツ積算金額テーブルからこれまでのコンテンツ料金の積算値を求め、コンテンツＩＤに基づき前記利用料金テーブルからこれから購入しようとするコンテンツの利用料金を求め、利用者ＩＤに基づき前記最大金額テーブルから最大金額を求め、
前記処理部は、前記積算値と前記利用料金とを合計した合計値と、前記最大金額とを比較し、
前記処理部は、前記合計値が前記最大金額を超えていれば、コンテンツ購入を続けるかを利用者に問い合わせるための購入抑止画面を生成し、前記端末へ該購入抑止画面を送信し、
前記処理部は、前記端末による前記購入抑止画面の操作により利用者ＩＤ及びコンテンツＩＤを含む購入意志確認上の第２のコンテンツ購入要求を、前記端末から受けると、前記端末に対してコンテンツの購入処理を行う
ことを特徴とする課金管理装置が提供される。
【発明の効果】
【００１０】
本発明によると、通信事業者が抑止者を個別に指定して強制的に購入抑止するまでのタイムラグがあっても、コンテンツ購入時の積算金額を判断材料とし、システムにてリアルタイムに判断して購入行為が抑止されるため、通信事業者の損失が大きくなる可能性が減る。
また、本発明によると、最大金額を利用者自身で事前に設定でき、最大金額を超えた購入をしようとした際に、システムによって注意喚起されるため、利用者は支払い能力を超えた使いすぎを防止できる。
【図面の簡単な説明】
【００１１】
【図１】本実施の形態に係るシステム構成例を示すブロック図である。
【図２】本発明の一実施の形態を示す課金管理シーケンスの例である。
【図３】本実施の形態の購入時の処理を説明するフローチャートの例である。
【図４】本実施の形態の最大金額の設定処理を説明するフローチャートの例である。
【図５】利用者が最大金額以上の購入を行おうとした際の購入抑止画面の例である。
【図６】利用料金管理データベースで管理するテーブルの例である。
【発明を実施するための形態】
【００１２】
以下、実施の形態を図面を用いて説明する。
図１は、本実施の形態に係るシステム構成例を示すブロック図である。
図１において、本システムは、携帯端末１００、課金管理装置２００、コンテンツプロバイダ３００、それらを接続するネットワークを備える。課金管理装置２００は、利用者認証モジュール１１０、コンテンツ管理モジュール１１１、通信制御モジュール１１２、利用料金積算管理モジュール１１３、利用料金に関する情報が格納された利用料金管理データベース１１４を備える。処理部２５０は、例えば、利用者認証モジュール１１０、コンテンツ管理モジュール１１１、通信制御モジュール１１２、利用料金積算管理モジュール１１３を含むことができる。なお、モジュールとは、一般的に論理的に分離可能なソフトウェア、ハードウェア等の部品を指す。また、コンテンツプロバイダ３００各社は、コンテンツ情報を提供するＷｅｂサーバ１２０を備え、携帯端末１００からの購入要求に応じてコンテンツ情報を提供する。
【００１３】
図６は利用料金管理データベース（１１４）に格納しているテーブルの例である。図６（Ａ）にコンテンツ積算金額テーブル、図６（Ｂ）にコンテンツ毎の利用料金テーブル、図６（Ｃ）に最大金額テーブルをそれぞれ示す。
コンテンツ積算金額テーブルは、利用者の利用者ＩＤ（６００）に対して、電話番号（６０１）、これまで利用しているコンテンツ料金の積算値（６０２）が格納される。コンテンツ毎の利用料金テーブルは、コンテンツ単価を管理するテーブルであり、コンテンツＩＤ（６１０）に対して、コンテンツの利用料金（６１１）が格納される。最大金額テーブルは、利用者毎の最大金額の設定値を管理するテーブルであり、利用者の利用者ＩＤ（６２０）に対して、電話番号（６２１）、最大金額（６２２）が格納される。
【００１４】
図２は、本発明の一実施の形態を示す課金管理シーケンスの例である。
図２では、利用者が携帯端末を使用して、有料コンテンツ購入要求を行い、コンテンツ購入時に、購入しようとするコンテンツ料金を含めたこれまでのコンテンツ料金の積算値が、最大金額を超えた場合、画面に購入抑止画面を表示し、利用者が購入抑止画面にて同コンテンツの購入要求を行った場合、購入するまでのシーケンスを表す。
【００１５】
以下に、図２のシーケンス図を詳細に説明する。
利用者が携帯端末にて、利用者ＩＤとコンテンツＩＤを含むコンテンツ購入要求の操作(２００)を行う。通信制御モジュール（１１２）は、利用者認証モジュール（１１０）に対して、利用者が正規の利用者かの判定の認証要求（２０１）を行う。利用者認証モジュール（１１０）は、認証結果応答（２０２）を返却する。認証結果が正しい利用者と判断された場合、通信制御モジュール（１１２）は、利用者ＩＤとコンテンツＩＤを含むコンテンツ購入要求（２０３）を行う。なお、正しい利用者でない場合は、利用者認証モジュール（１１０）は、コンテンツ購入要求の拒絶を携帯端末に通知する。
【００１６】
コンテンツ管理モジュール（１１１）は、コンテンツ購入要求（２０３）を受けると、利用料金積算管理モジュール（１１３）に購入判定要求（２０４）を行う。ここで、コンテンツ管理モジュール（１１１）は、利用者のこれまでのコンテンツ料金の積算値（６０２）を、利用者ＩＤに基づき、利用料金管理データベース（１１４）のコンテンツ積算金額テーブルから取得する。また、コンテンツ管理モジュール（１１１）は、これから購入しようとするコンテンツの利用料金（６１１）をコンテンツＩＤに基づき、利用料金管理データベース（１１４）のコンテンツ毎の利用料金テーブルから取得する。コンテンツ管理モジュール（１１１）は、コンテンツ購入要求（利用者ＩＤ、コンテンツＩＤを含む）とこれらの情報（コンテンツ料金の積算値、コンテンツの利用料金）を含む購入判定要求を、利用料金積算管理モジュール（１１３）に引き渡す。
【００１７】
利用料金積算管理モジュール（１１３）は、購入判定要求を受けると、利用料金管理データベース（１１４）の最大金額テーブルから、利用者ＩＤに基づき、その利用者の最大金額の設定値（６２２）を取得し、これまでのコンテンツ料金の積算値（６０２）と今回のコンテンツの利用料金（６１１）とを加算した額とを比較して、購入判定を行う（２０５、２０６）。なお、最大金額値はそれぞれの利用者毎に値が設定されている（詳細は、図４で後述する。）。利用料金積算管理モジュール（１１３）は、購入判定結果をコンテンツ管理モジュール（１１１）に応答する（２０７）。
【００１８】
ここで、利用料金積算管理モジュール（１１３）で行う、購入判定方法について説明する。利用料金積算管理モジュール（１１３）は、利用者ＩＤに基づきコンテンツ積算金額テーブルから求めた、これまでのコンテンツ料金の積算値（６０２）と、コンテンツＩＤに基づきコンテンツ毎の利用料金テーブルから求めた、これから購入しようとするコンテンツの利用料金（６１１）とを合計した値と、利用者ＩＤに基づき最大金額テーブルから求めた最大金額の設定値（６２２）を比較する。前者（合計値）が後者（最大金額）の設定値を超えていなければ、ここで、利用料金積算管理モジュール（１１３）はコンテンツ管理モジュール（１１１）に、購入許可を返答し、コンテンツ管理モジュール（１１１）は、コンテンツ情報の購入処理を行う。一方、前者（合計値）が後者（最大金額）を超えていれば、利用料金積算管理モジュール（１１３）は、購入抑止画面を生成（２０８）し、通信制御モジュール（１１２）により、携帯端末へ購入抑止画面応答を行い、以降のシーケンスに続く。
【００１９】
図５は、利用者が最大金額以上の購入を行おうとした際の購入抑止画面の例である。
この抑止画面により、コンテンツ購入を続けるかを利用者に問い合わせている。この例では、これから購入しようとするコンテンツ料金５００、これまでのコンテンツ料金の積算料金５０１、最大金額５０２をそれぞれ表示する。購入を続ける場合（はい）の決定ボタン５０３、購入を止める場合（いいえ）の決定ボタン５０４を表示する。利用者が抑止画面を見たことにより、購入できる最大金額の設定値の見直しを検討し、本画面から最大金額の変更が行いやすいように、最大金額の変更処理へのリンク５０５を表示している。なお、最大金額の変更については、図４を用いて後述する。
【００２０】
コンテンツ管理モジュール（１１１）は、購入抑止画面が生成された場合、通信制御モジュール（１１２）を介して、携帯端末上に購入抑止画面（図５）を応答する。購入抑止画面にて、利用者が購入抑止画面を確認した上で、それでも購入するという意志があり購入要求を操作を行った場合（図５中、「はい（購入）」の決定ボタン５０３を操作)、通信制御モジュール（１１２）が、利用者ＩＤを含む購入の意志確認上の認証要求（２１１）を利用者認証モジュール（１１０）へ要求し、利用者認証モジュール（１１０）が認証結果応答（２１２）を返答する。これを受け、通信制御モジュール（１１２）が、利用者ＩＤ及びコンテンツＩＤを含む購入意志確認上のコンテンツ購入要求（２１３）をコンテンツ管理モジュール（１１１）へ要求し、コンテンツ管理モジュール（１１１）が購入応答（２１４）を返却し、コンテンツ管理モジュール（１１１）は、コンテンツ情報の購入処理を行う。なお、この購入意志確認上のコンテンツ購入要求（２１３）は、先のコンテンツ購入要求（２０３）とは、「購入意志確認」のフラグ又はヘッダ等の情報が含まれる点が異なる。通信要求モジュール（１１２）は、携帯端末（２１５）へ購入完了の画面を応答する。
【００２１】
図３は、購入時の処理を説明するフローチャートの例である。携帯端末によって利用者がコンテンツ購入要求（３００）を行うと、利用者認証モジュール（１１０）により携帯端末認証（３０１）を行い、結果によって条件分岐（３０２）する。利用者認証モジュール（１１０）により認証できなかった場合は、エラーを表示（３０６）し、ここで終了する。利用者認証モジュール（１１０）により認証できた場合は、金額上限判定（３０３）によって条件分岐（３０４）する。金額上限判定（３０３）とは前述した利用料金積算管理モジュール（１１３）で行う、購入判定方法のことを指す。上限を超えていなかった場合、コンテンツ取得（３０５）を行う。上限を超えていた場合、コンテンツ管理モジュール（１１１）は、購入抑止画面を生成及び表示し、購入を続行するかを利用者に問い合わせる（３０７）。利用者に応答結果によって条件分岐する（３０８）。続行しないという応答が合った場合、ここで終了する。続行するという応答が合った場合、コンテンツ管理モジュール（１１１）は、コンテンツ取得（３０５）を行い終了する。
【００２２】
図４は、最大金額の設定処理を説明するフローチャートの例である。本処理は事前に設定するものであり、少なくとも事前に一回は設定する必要がある。設定値について利用者が見直しの必要がなければ、以後は設定する必要性はない。
携帯端末によって、利用者ＩＤ、電話番号、最大金額を含む最大金額の設定要求を行う（４００）と、利用者認証モジュール（１１０）により携帯端末認証（４０１）を行い、結果によって条件分岐（４０２）する。利用者認証モジュール（１１０）により認証できなかった場合は、エラーを表示（４０４）し、ここで終了する。利用者認証モジュール（１１０）により認証できたばあいは、利用者が金額上限値を入力し、利用料金積算管理モジュール（１１３）は、最大金額テーブルに利用者ＩＤ、電話番号、最大金額を記憶し金額上限設定（４０３）を行い終了する。
【符号の説明】
【００２３】
１００  携帯端末
１１０  利用者認証モジュール
１１１  コンテンツ管理モジュール
１１２  通信制御モジュール
１１３  利用料金積算管理モジュール
１１４  利用料金管理データベース
【図１】
2012256146.tif 000003
【図２】
2012256146.tif 000004
【図３】
2012256146.tif 000005
【図４】
2012256146.tif 000006
【図５】
2012256146.tif 000007
【図６】
2012256146.tif 000008